(57)【要約】      （修正有）【課題】履物に装着する使い捨てカイロの提供。【解決手段】内装材２２と外装材２３からなる甲部材１２を有した履物において、内装材２２と外装材２３との間に扁平状の使い捨てカイロ５を収容し得るカイロ収容部６を設けている一方、外装材２３に、使い捨てカイロ５をカイロ収容部６内に出し入れするための開口部２４と、該開口部２４を開閉する開閉手段４とを設けていることにより、暖房機能つき履物に対して使い捨てカイロ５を良好な状態で収容できるとともに使い捨てカイロの出し入れが簡単に行えるようにした。【選択図】図１
0003121219.tif 000002
【実用新案登録請求の範囲】
【請求項１】
底部材（１１）の上側を甲部材（１２）で被覆した履物（１）であって、前記甲部材（１２）の適所に偏平状の使い捨てカイロ（５）を収容する袋状のカイロ収容部（６）を設け、さらに該カイロ収容部（６）の開口部（２４）を開閉手段（４）により開閉可能としたことを特徴とする暖房機能つき履物。
【考案の詳細な説明】
【技術分野】
【０００１】
本願考案は、使い捨てカイロによる暖房機能をそなえた暖房機能つき履物に関するものである。
【背景技術】
【０００２】
近年、身体を局部的に暖めることのできる使い捨てカイロが多用されているが、これらの使い捨てカイロは通常の場合、シャツのポケットに入れたり、肌着の上側に固定したりして使用されている。ところで、人体の胴体部分は上記のようにして、使い捨てカイロを着用することができるが、これまでのところ、人体の足先部分に使い捨てカイロを被着できるようにしたものは知られていない。人体の胴体部は、肌着、セーターなどの中着、上着などのように重ね着することに加えて、必要に応じ上記の使い捨てカイロ等によって必要な保温を図ることができるが、人体の足先部は、せいぜい厚手の靴下や足袋を着用して保温を図るくらいのことしかできない。このため、寒い日の屋外作業時、通勤・通学時（特に自転車乗車時）、冬期のスポーツ（スキーやスノーボード等）時又はその観戦時、オートバイ乗車時、登山時、アウトドアやレジャー時、冬のゴルフ時（コース移動時や観戦時）等には、人々は特にその足先部に寒冷感を憶えることになる。又、屋内においては、病院、介護施設、事務所は勿論、一般家庭においても、例え屋内暖房は完備していても、足先部の寒冷感をカバーする事は出来ないし、足先部の完全暖房は、手の先の完全暖房と共に、人々にとって特別必要な事柄で有りながら、残念ながら現時点では、満足するものが無かった。
【０００３】
なお、本願考案者が調査した範囲では、履物に何らかの暖房機能をもたせたものは発見することができなかった。
【考案の開示】
【考案が解決しようとする課題】
【０００４】
本願考案は、上記のような問題に鑑みてなされたもので暖房機能をもつ暖房機能つき履物を提案することを目的とするものである。
【０００５】
そこで、本願考案は、スリッパや靴などの履物において、使い捨てカイロを良好な状態で且つ簡単に出し入れし得るようにすることを目的としてなされたものである。すなわち、近年では、上記のように簡易に暖をとれる使い捨てカイロが普及しており、この使い捨てカイロを履物内部（足先が差し込まれる部分）に収納して足先の暖房を行うことが考えられる。ところが、履物内部に使い捨てカイロを収納する（履物内面に貼着する）と、そのカイロ入り履物を装着したときに、使い捨てカイロが直接足先に接触するため、低温やけどの懸念が生じるとともに装着感が極めて悪くなり、使用に耐え得るものではない。尚、使い捨てカイロを履物の外面に貼付けた場合には、使い捨てカイロの発熱が外気中に逃げるので、暖房用として機能しない。
【０００６】
そこで、本願考案は、スリッパや靴等の履物において、使い捨てカイロを良好な状態で収容保持し、且つ簡単に出し入れし得るようにすることを目的としてなされたものである。
【課題を解決するための手段】
【０００７】
本願考案は、上記課題を解決するための手段として、次の構成を有している。
【０００８】
すなわち、本願考案の暖房機能つき履物は、底部材の上側を甲部材で被覆した履物であって、甲部材の適所に偏平状の使い捨てカイロを収容し得る袋状のカイロ収容部を設けている一方、さらに使い捨てカイロをカイロ収容部内に出し入れするための開口部を開閉することができる開閉手段を設けて構成されている。
【０００９】
この暖房機能つき履物に使用される使い捨てカイロの大きさ（サイズ）は、特に限定するものではないが１３５×１００mm乃至９５×７０mm程度のものが適当である。この使い捨てカイロには、片面に多数の針孔を形成した通気部を有しており（通気性のある不織布を使用したものもある）、他面に剥離紙付きの粘着剤を塗布している。尚、この種の使い捨てカイロは、使用前には通気性のない収納袋内に収納されており（発熱しない）、一旦使用後でも通気性のない収納袋内に収納することで、不要な発熱を抑えることができるようになっている。
【００１０】
本願考案の暖房機能つき履物は、その甲部材に、カイロ収容部を有している。カイロ収容部は、内装材と外装材からなっており、内装材には肌触りのよい生地（例えば布生地）が使用される一方、外装材には一般に比較的耐久性のある生地（例えば天然皮革、合成皮革、合繊繊維素材等）が使用される。
【００１１】
本願考案の暖房機能つき履物では、カイロ収容部に扁平状の使い捨てカイロを出し入れ自在に収容し得るようになっているが、該使い捨てカイロを収容する部分は、履物の甲部材側である。
【００１２】
カイロ収容部に設けたカイロ出し入れ用の開口部は、少なくとも使い捨てカイロを出し入れし得る大きさを有しているが、その開口部の形態としては、甲部材における外装材側部分にかなりの長さ範囲に亘って切り目を入れたものや、甲部材におけるカイロ収容部の外装材に使い捨てカイロを出し入れし得る大面積の切欠窓を設けたもの等が採用できる。
【００１３】
又、上記開口部を開閉する開閉手段としては、開口部が上記切り目の場合は該切り目をジッパーで開閉可能としたものを採用でき、開口部が上記切欠窓の場合は該切欠窓を被覆する蓋片（一辺が外装材表面に縫着されている）を例えば面ファスナー等で開閉し得るようにしたものを採用できる。
【００１４】
本願考案の暖房機能つき履物は、寒い日に使い捨てカイロを入れて使用するには、開閉手段を開操作して開口部を開放し、その開口部から使い捨てカイロをカイロ収容部に収容した後、開閉手段を閉操作して開口部を閉塞する。尚、使い捨てカイロは、その粘着剤塗布部を内装材に貼着することで、定位置に固定できる。
【００１５】
そして、カイロ収容部に使い捨てカイロを収容した状態では、該カイロの外面側に内装材又は外装材の生地（通気部）を介して空気が接触するので、該カイロの発熱組成物が発熱して履物内部を暖房できる。
【００１６】
履物から使い捨てカイロを取り出すには、開閉手段を開操作し、開口部からカイロ収容部にある使い捨てカイロを取り出せばよい。尚、使い捨てカイロに発熱の余力が残っている場合には、履物から取り出した後、その使い捨てカイロを通気性のない収納袋内に密封する（空気と遮断する）ことで、発熱組成物の未発熱部分の発熱を止めることができる（再使用できる）。
【考案の効果】
【００１７】
本願考案の暖房機能つき履物は、次のような効果がある。
【００１８】
（１） 上記のように使い捨てカイロを履物の甲部材に形成したカイロ収容部に出し入れ自在に収容できるので、寒い日に使い捨てカイロで履物内部を暖房できる。
【００１９】
（２） 使い捨てカイロをカイロ収容部の中に収容できるので、該使い捨てカイロが直接足先に接触することがなく、カイロ入りの暖房機能つき履物であっても装着感が悪くならない。
【００２０】
（３） 使い捨てカイロを袋状のカイロ収容部内に収容できるので、使い捨てカイロの収容状態が安定する。
【００２１】
（４） 開閉手段により開口部を開閉することで、使い捨てカイロをカイロ収容部内に出し入れできるので、該使い捨てカイロの出し入れ操作が簡単に行える。
【実施例】
【００２２】
図１〜図３には本願第１実施例の暖房機能つき履物（屋内履き用スリッパ）が示され、図４には本願第２実施例、図５には本願第３実施例、図６には本願第４実施例、図７には本願第５実施例、図８〜図９には本願第６実施例の暖房機能つき履物１が示されている。
【００２３】
図１〜図３の第１実施例
この第１実施例の屋内履き用スリッパ１は図２に示すように底部材１１の上側に甲部材１２を接合して構成されている。
【００２４】
甲部材１２は、内装材２２と外装材２３からなる２層構成とされている（図２参照）。
【００２５】
内装材２２には、肌触りがよく、また低温ヤケド防止に適した適度の熱伝導性をもつ生地（例えばフリース等の布生地）が使用されている。他方、外装材２３には、一般に耐久性のある生地が使用されるが、外装材２３として皮革素材等の通気性に乏しい生地を用いた場合には、後述するように使い捨てカイロ５に対応する位置に通気用の多数の小孔２５，２５・・（図１参照）を形成するか又は、他の実施例を示す図４、図５、図６、図７中で符号３５で示す様に、通気性の有る素材（例えばオペロンニット等）の部分使用、又は通気可能な他の手法により、カイロの発熱を促進する。
【００２６】
この暖房機能つき履物１には、内装材２２と外装材２３との間に扁平状の使い捨てカイロ５を収容し得るカイロ収容部６を設けている。又、外装材２３には、使い捨てカイロ５をカイロ収容部内に出し入れするための開口部２４と、該開口部２４を開閉する開閉手段４とを設けている。
【００２７】
本願の各実施例で使用される使い捨てカイロ５は、扁平状袋内に空気と接触して発熱する発熱組成物を収容したものである。この使い捨てカイロ５の大きさ（サイズ）は、特に限定するものではないが１３５×１００mm乃至９５×７０mm程度のものが適当である。この使い捨てカイロ５には、片面に針孔等の通気部を有し（針孔にかえて生地に不織布を使用したものもある）、他面に剥離紙付きの粘着剤が塗布されている。
【００２８】
使い捨てカイロ５は、使用前には通気性のない収納袋内に収納されており（発熱しない）、一旦使用した後でも、図３に鎖線図示するように使い捨てカイロ５′を通気性のない密封袋２６内に収納することで、以後の発熱を中断させることができるようになっている。尚、図３に鎖線図示する密封袋２６は、カイロ５の使用前に収納されている収納袋とは別のもので、該密封袋２６の開口部には密封用の嵌合ファスナー２７が設けられていて、使用を中断した使い捨てカイロを密封袋２６内に収納した後、該嵌合ファスナー２７を閉じることで、該使い捨てカイロ５′の発熱を停止させることができる。
【００２９】
この第１実施例の暖房機能つき履物１では、カイロ出し入れ用の開口部２４として、甲部材１２における外装材２３に切り目を入れて形成している。
【００３０】
この第１実施例の暖房機能つき履物１では、開口部２４を開閉する開閉手段４としてジッパー４１が採用されている。このジッパー４１は、図１において、ツマミ４２が実線図示位置にあるときに閉状態であり、該ツマミを符号４２′で示す鎖線図示位置まで移動させると開口部２４を全開させることができるようになっている。ジッパー４１を全開位置まで開操作した状態では、図２に示すように外装材２３における開口部２４が対応する部分（開閉蓋片７）を外側にめくってカイロ収容部６を開放状態とすることができる。
【００３１】
この第１実施例の暖房機能つき履物１は、次のようにして使用される。尚、使い捨てカイロ５は、販売時には通気性のない包装袋内に密封収納した状態で保管されており、この保管状態ではカイロの発熱組成物が空気（外気）と接触しないので、発熱が起こらない。そして、使い捨てカイロ５が必要なときに、該カイロ５を包装袋から取り出せば、該カイロの発熱組成物に空気（外気）が接触して発熱が始まる。尚、この使い捨てカイロ５は、空気が接触し続けると１０時間程度発熱が継続するが、途中で空気を遮断する（別に用意した図３の密封袋２６内に再収納する）と発熱が中断する性質がある。
【００３２】
この暖房機能つき履物１のカイロ収容部６に使い捨てカイロ５を収容させるには、図２の鎖線図示状態（外装材２３の開口部対応部分に形成される開閉蓋片７をめくった状態）で、内装材２２と外装材２３との間の所定位置に使い捨てカイロ５を差し入れて、該カイロ５の粘着剤塗布面を内装材２２の外面に貼着させればよい。そして、使い捨てカイロ５を内装材２２と外装材２３間の所定位置に収容した後、ジッパー４１のツマミ４２を閉位置まで移動させることで開口部２４を閉塞でき、図１及び図２に示すカイロ装着状態となる。
【００３３】
このカイロ装着状態では、使い捨てカイロ５に外装材２３の小孔２５，２５・・及び符号３５で示す通気素材（又は通気手法）を介して空気が接触しているので、該使い捨てカイロ５が発熱を継続しており、その熱でスリッパ内部を暖房するようになる。
【００３４】
図４の第２実施例
図４に示す第２実施例の暖房機能つき履物は、第１実施例の暖房機能つき履物と同様の屋内履き用スリッパであって、カイロ収容部６の開閉蓋片７に通気性の素材３５をもって通気部を形成したもので、他の構成は第１実施例のものと同じであるのでその説明を省略する。
【００３５】
図５の第３実施例
図５に示す第３実施例は、本願考案をルームシューズに応用したもので、同図において符号１はルームシューズ、１１はその底部材、１２は甲部材である。このルームシューズ１の甲部材１２の足先部には、開閉手段４（ジッパー４１）で開閉できるカイロ収容部６があり、そのカイロ収容部６の中に使い捨てカイロ５を出し入れ自在に収納し得るようになっている。カイロ収容部６の開閉蓋片７には、色々な形状にデザイン化された通気性素材からなる通気部３５，３５が形成されている。
【００３６】
図６の第４実施例
図６に示す第４実施例は、第３実施例と同様、本願考案をルームシューズに応用したもので、同図において符号１はルームシューズ、１１はその底部材、１２は甲部材である。
【００３７】
この実施例のルームシューズでは、甲部材１２の足先部に形成したカイロ収容部６を２本の開閉手段４（ジッパー４１Ａ，４１Ｂと面ファスナー４１Ｃ）で開閉し得るようにしている。符号４２Ａ，４２Ｂは各ジッパー４１Ａ，４１Ｂの開閉操作用ツマミである。この実施例のルームシューズ１では、使い捨てカイロをカイロ収容部６に出し入れするときは、前方のジッパー４１Ａと後方のジッパー４１Ｂを開閉し、さらに面ファスナー４１Ｃを引きはがして、使い捨てカイロ５の出し入れを行うことができる。前後のジッパー４１Ａ，４１Ｂの中間位置には帯状の通気性の素材からなる通気部３５が形成されている。
【００３８】
図７の第５実施例
図７には本願考案の第５実施例に係る暖房機能つき履物（ルームシューズ）が示されている。この実施例のルームシューズも底部材１１の上側に甲部材１２が接合されており、さらに甲部材１２の足先部分に形成されるカイロ収容部６の入口部の開閉手段４として、左・右２本のジッパー４１Ｌ・４１Ｒ及び面ファスナー４１Ｃを採用している。
【００３９】
左右２本のジッパー４１Ｌ・４１Ｒのそれぞれのツマミ４２Ｌ・４２Ｒは飾り兼用のチェーン４３によってつながれており、この実施例のルームシューズにおいてカイロ収容部６を開放する際には、このチェーン４３を前方（足先方向）に引くことにより、２本のジッパー４１Ｌ・４１Ｒを同時に開くことができる。そして、２本のジッパー４１Ｌ・４１Ｒが開いたあとは、開閉蓋片７のツマミ７ａをもって開閉蓋片７を前方（足先方向）にめくり上げれば面ファスナー４１Ｃが開くとともにカイロ収容部６を開放することができ、そのカイロ収容部６に使い捨てカイロ５を収容することができる。カイロ収容部６の開閉蓋片７を閉じるときには、チェーン４３を手前側に引いて２本のジッパー４１Ｌ・４１Ｒを同時に閉じ、さらに開閉蓋片７のツマミ７ａを上方から押さえつけて面ファスナー４１Ｃを閉じればよい。なお、この実施例のものにおいても、カイロ収容部６の開閉蓋片７には通気性の素材からなる通気部３５が形成されている。
【００４０】
なお、この２つのジッパー４１Ｌ・４１Ｒをチェーン４３で同時に開閉する手法は、対象履物の形状、用途、デザイン等の条件によっては、ジッパー４１Ｌ・４１Ｒの開閉方向を逆方向にする（ジッパー４１Ｌ・４１Ｒを閉じたとき、チェーン４３の引き手が足先部にある）ことも可能である。
【００４１】
なお、この２本のジッパー４１Ｌ・４１Ｒをチェーンなどで同時に開閉する手法は、本願考案の対象である履物以外の、例えば手袋、膝部当て、その他身体の一部に開口部を作る場合、又、あらゆる物品の出し入れに際して、それを容易にする為に、ワンタッチで大きな開口部を作る事が必要とされる場合の、全ての場面で使用する事が出来る。
【００４２】
なお、上記図４〜図７に示す第２〜第５実施例の各暖房機能つき履物においても、甲部材１２が内装材と外装材の２層構造とされており、そして同内装材と外装材の間に使い捨てカイロ５を収容するためのカイロ収容部６が形成されていることは図１〜図２に示す第１実施例と同様である。
【００４３】
図８〜図９の第６実施例
上記各実施例（第１〜第５実施例）は、それぞれ屋内履き用のスリッパあるいはルームシューズに本願考案を応用したものであったが、本願考案は図８〜図９に示すような屋外履き用の靴にも応用することができる。
【００４４】
図８〜図９において符号１は本願考案の第６実施例にかかる暖房機能つき履物（靴）、１１は底部材、１２は甲部材を示している。この実施例の靴においても、甲部材１２の足先部分には使い捨てカイロ５を収容するためのカイロ収容部６が形成されている。甲部材１２が内装材と外装材の２層構造とされているのは図１〜図２に示す第１実施例の場合と同様であり、カイロ収容部６の上面を覆う開閉蓋片７の周囲にカイロ収容部６開閉用の開閉手段４（ジッパー４１）が設けられていることも図１〜図２に示す第１実施例の場合と同様である。なお、図８において符号３５はカイロ収容部６内に収容された使い捨てカイロ５を発熱させるための通気性素材からなる通気部である。この実施例の靴１において、カイロ収容部６内に使い捨てカイロ５を収容する場合は、ツマミ４２をもってジッパー４１を開放し、開閉蓋片７を手前側へめくり上げ、その下に使い捨てカイロ５を収容し、そのあと開閉蓋片７をおろしてジッパー４１を閉める。又、カイロ収容部６から使い捨てカイロ５を取り出すときも、先ずジッパー４１を開放して開閉蓋片７をめくり上げ、使い捨てカイロ５を取り出したあと、開閉蓋片７をおろしてジッパー４１を閉める。
【００４５】
本願考案のその他の実施形態
上記の第１〜第６実施例（屋内履き用スリッパ、ルームシューズ、屋外履き用靴）においては、カイロ収容部６の開閉手段として、ジッパー４１単体あるいはジッパー４１と面ファスナーとの併用を採用したが、本願考案を実施するにあたっては、開閉手段として、全て面ファスナーを使用する実施形態とすることもできる。
【００４６】
また、本願考案の暖房機能つき履物は、その実施対象として、上記の屋内履き用スリッパ、ルームシューズ、屋外履き用靴以外にもソックスカバーやサンダル等を選定することもできる。
【図面の簡単な説明】
【００４７】
【図１】本願第１実施例の暖房機能つき履物における使い捨てカイロを収容した状態での平面図である。
【図２】図１のII−II断面図である。
【図３】図１の暖房機能つき履物において使用された使用途中の使い捨てカイロの収納状態図である。
【図４】本願第２実施例の使い捨てカイロにおける使い捨てカイロを収容した状態での平面図である。
【図５】本願第３実施例の暖房機能つき履物における使い捨てカイロを収容した状態での平面図である。
【図６】本願第４実施例の暖房機能つき履物における使い捨てカイロを収容した状態での平面図である。
【図７】本願第５実施例の暖房機能つき履物における使い捨てカイロを収容した状態での平面図である。
【図８】本願第６実施例の暖房機能つき履物（靴）の平面図である。
【図９】図８に示す靴の側面図である。
【符号の説明】
【００４８】
１は暖房機能つき履物、４は開閉手段、５は使い捨てカイロ、６はカイロ収容部、７は開閉蓋片、１１は底部材、１２は甲部材、２２は内装材、２３は外装材、２４は開口部（切り目）、２５は小孔、３５は通気部、４１はジッパーである。
【図１】
0003121219.tif 000003
【図２】
0003121219.tif 000004
【図３】
0003121219.tif 000005
【図４】
0003121219.tif 000006
【図５】
0003121219.tif 000007
【図６】
0003121219.tif 000008
【図７】
0003121219.tif 000009
【図８】
0003121219.tif 000010
【図９】
0003121219.tif 000011